(57)【要約】  従来の留守番電話機に、いわゆる「留守モード」を機能拡張した「防犯留守モード」を設ける。そして当該モード下では、一定時間経過ごとあるいは宅内への侵入者を検知した直後に、「トゥルルル、トゥルルル、トゥルルル・・・ただいま出かけております。発信音の後にご用件をお話しください。ピー・・・もしもし、こちらお父さんです。いま駅に着きました。これから帰ります」のような一連の音声を再生する。侵入者（もしいれば）がこれを聞いた場合、ほどなく家人が帰宅すると判断して、財物を窃取することなく逃亡する確率が高い。すなわち、外部からの着信を偽装して家人の帰宅を暗に警告することで、侵入者による窃盗を未然に防止することができる。【特許請求の範囲】
【請求項１】
所定のイベントの発生時にあらかじめ用意された音声情報を音声として出力すべき発信指示を出力する発信指示手段と、
前記発信指示手段により出力された前記発信指示を受けて第１の音声情報を発信する第１の音声発信手段と、
複数の第２の音声情報の中からいずれか一つを選択する音声選択手段と、
前記第１の音声発信手段により発信された前記第１の音声情報に続けて前記音声選択手段により選択された前記第２の音声情報を発信する第２の音声発信手段と、
を備えることを特徴とする音声出力装置。
【請求項２】
前記第１の音声情報は電話機の着信音に類似する音声および電話機の応答メッセージに類似する音声の情報であることを特徴とする前記請求項１に記載の音声出力装置。
【請求項３】
前記第１の音声発信手段は前記電話機の着信音に類似する音声の情報に続けて前記電話機の応答メッセージに類似する音声の情報を発信することを特徴とする前記請求項２に記載の音声出力装置。
【請求項４】
所定のイベントの発生時にあらかじめ用意された音声情報を音声として出力すべき発信指示を出力する発信指示手段と、
前記発信指示手段により出力された前記発信指示を受けて第１の音声情報を発信する第１の音声発信手段と、
前記第１の音声発信手段により発信された第１の音声情報に続けて第２の音声情報を発信する第２の音声発信手段と、
複数の第３の音声情報の中からいずれか一つを選択する音声選択手段と、
前記第２の音声発信手段により発信された前記第２の音声情報に続けて前記音声選択手段により選択された前記第３の音声情報を発信する第３の音声発信手段と、
を備えることを特徴とする音声出力装置。
【請求項５】
前記第１の音声情報は電話機の着信音に類似する音声、前記第２の音声情報は電話機の応答メッセージに類似する音声、前記第３の音声情報は電話機の伝言メッセージに類似する音声の情報であることを特徴とする前記請求項４に記載の音声出力装置。
【請求項６】
前記所定のイベントとはタイマにより計測された経過時間が所定値に到達したことであることを特徴とする前記請求項１〜請求項５のいずれか一つに記載の音声出力装置。
【請求項７】
前記所定のイベントとはセンサにより侵入者が検知されたことであることを特徴とする前記請求項１〜請求項５のいずれか一つに記載の音声出力装置。
【請求項８】
前記音声選択手段は前記複数の第２の音声情報の中から最近使用していないものを一つ選択することを特徴とする前記請求項１〜請求項３のいずれか一つに記載の音声出力装置。
【請求項９】
前記音声選択手段は前記複数の第３の音声情報の中から最近使用していないものを一つ選択することを特徴とする前記請求項４または請求項５に記載の音声出力装置。
【請求項１０】
所定のイベントの発生時にあらかじめ用意された音声情報を音声として出力すべき発信指示を出力する発信指示工程と、
前記発信指示工程で出力された前記発信指示を受けて第１の音声情報を発信する第１の音声発信工程と、
複数の第２の音声情報の中からいずれか一つを選択する音声選択工程と、
前記第１の音声発信工程で発信された前記第１の音声情報に続けて前記音声選択工程で選択された前記第２の音声情報を発信する第２の音声発信工程と、
を含むことを特徴とする音声出力方法。
【請求項１１】
前記第１の音声情報は電話機の着信音に類似する音声および電話機の応答メッセージに類似する音声の情報であることを特徴とする前記請求項１０に記載の音声出力方法。
【請求項１２】
前記第１の音声発信工程では前記電話機の着信音に類似する音声の情報に続けて前記電話機の応答メッセージに類似する音声の情報を発信することを特徴とする前記請求項１１に記載の音声出力方法。
【請求項１３】
所定のイベントの発生時にあらかじめ用意された音声情報を音声として出力すべき発信指示を出力する発信指示工程と、
前記発信指示工程で出力された前記発信指示を受けて第１の音声情報を発信する第１の音声発信工程と、
前記第１の音声発信工程で発信された第１の音声情報に続けて第２の音声情報を発信する第２の音声発信工程と、
複数の第３の音声情報の中からいずれか一つを選択する音声選択工程と、
前記第２の音声発信工程で発信された前記第２の音声情報に続けて前記音声選択工程で選択された前記第３の音声情報を発信する第３の音声発信工程と、
を含むことを特徴とする音声出力方法。
【請求項１４】
前記第１の音声情報は電話機の着信音に類似する音声、前記第２の音声情報は電話機の応答メッセージに類似する音声、前記第３の音声情報は電話機の伝言メッセージに類似する音声の情報であることを特徴とする前記請求項１３に記載の音声出力方法。
【請求項１５】
前記所定のイベントとはタイマにより計測された経過時間が所定値に到達したことであることを特徴とする前記請求項１０〜請求項１４のいずれか一つに記載の音声出力方法。
【請求項１６】
前記所定のイベントとはセンサにより侵入者が検知されたことであることを特徴とする前記請求項１０〜請求項１４のいずれか一つに記載の音声出力方法。
【請求項１７】
前記音声選択工程では前記複数の第２の音声情報の中から最近使用していないものを一つ選択することを特徴とする前記請求項１０〜請求項１２のいずれか一つに記載の音声出力方法。
【請求項１８】
前記音声選択工程では前記複数の第３の音声情報の中から最近使用していないものを一つ選択することを特徴とする前記請求項１３または請求項１４に記載の音声出力方法。
【請求項１９】
所定のイベントの発生時にあらかじめ用意された音声情報を音声として出力すべき発信指示を出力する発信指示工程と、
前記発信指示工程で出力された前記発信指示を受けて第１の音声情報を発信する第１の音声発信工程と、
複数の第２の音声情報の中からいずれか一つを選択する音声選択工程と、
前記第１の音声発信工程で発信された前記第１の音声情報に続けて前記音声選択工程で選択された前記第２の音声情報を発信する第２の音声発信工程と、
をプロセッサに実行させることを特徴とする音声出力プログラム。
【請求項２０】
前記第１の音声情報は電話機の着信音に類似する音声および電話機の応答メッセージに類似する音声の情報であることを特徴とする前記請求項１９に記載の音声出力プログラム。
【請求項２１】
前記第１の音声発信工程では前記電話機の着信音に類似する音声の情報に続けて前記電話機の応答メッセージに類似する音声の情報を発信することを特徴とする前記請求項２０に記載の音声出力プログラム。
【請求項２２】
所定のイベントの発生時にあらかじめ用意された音声情報を音声として出力すべき発信指示を出力する発信指示工程と、
前記発信指示工程で出力された前記発信指示を受けて第１の音声情報を発信する第１の音声発信工程と、
前記第１の音声発信工程で発信された第１の音声情報に続けて第２の音声情報を発信する第２の音声発信工程と、
複数の第３の音声情報の中からいずれか一つを選択する音声選択工程と、
前記第２の音声発信工程で発信された前記第２の音声情報に続けて前記音声選択工程で選択された前記第３の音声情報を発信する第３の音声発信工程と、
をプロセッサに実行させることを特徴とする音声出力プログラム。
【請求項２３】
前記第１の音声情報は電話機の着信音に類似する音声、前記第２の音声情報は電話機の応答メッセージに類似する音声、前記第３の音声情報は電話機の伝言メッセージに類似する音声の情報であることを特徴とする前記請求項２２に記載の音声出力プログラム。
【請求項２４】
前記所定のイベントとはタイマにより計測された経過時間が所定値に到達したことであることを特徴とする前記請求項１９〜請求項２３のいずれか一つに記載の音声出力プログラム。
【請求項２５】
前記所定のイベントとはセンサにより侵入者が検知されたことであることを特徴とする前記請求項１９〜請求項２３のいずれか一つに記載の音声出力プログラム。
【請求項２６】
前記音声選択工程では前記複数の第２の音声情報の中から最近使用していないものを一つ選択することを特徴とする前記請求項１９〜請求項２１のいずれか一つに記載の音声出力プログラム。
【請求項２７】
前記音声選択工程では前記複数の第３の音声情報の中から最近使用していないものを一つ選択することを特徴とする前記請求項２２または請求項２３に記載の音声出力プログラム。
【発明の詳細な説明】
【技術分野】
【０００１】
この発明は、あらかじめ用意された音声情報を音声として出力する音声出力装置、音声出力方法、および音声出力プログラムに関する。ただし、本発明の利用は、上述した音声出力装置、音声出力方法、および音声出力プログラムに限らない。
【背景技術】
【０００２】
留守宅などに侵入した泥棒や強盗（以下では「侵入者」という）から宅内の財産を保護する、いわゆる「ホームセキュリティ」を実現するための技術は従来から提案されている。たとえば下記特許文献１に記載の従来技術では、宅内にＴＶカメラを設置し、当該カメラの撮影範囲や撮影方向を外部信号により制御可能とするとともに、当該カメラによる撮影画像をインターネット上の所定のホームページにアップロードしている。これにより、ユーザは外出先からも留守中の宅内の様子を把握でき、ホームセキュリティが実現できるとしている。【０００３】
【特許文献１】特開２００３−６１０７７号公報
【発明の開示】
【発明が解決しようとする課題】
【０００４】
しかしながら従来ホームセキュリティを実現するには、宅内を常時監視して、侵入者を検知した際は直ちに保安者に通報し、保安者に現場に急行してもらうための人的・物的システムが必要であった。そのため初期費用や維持費用がかかること、監視カメラなどにより設置場所のスペースが圧迫されること、場合によっては十分なスペースが確保できないこと、などの問題があった。また、侵入者がたとえば監視カメラなどを物理的に破壊したり、その存在を予想して覆面を被って侵入したりすることで、容易にシステムを無力化あるいはその能力を低下させることができてしまうという問題もあった。なお、これらは従来技術の問題点の一例に過ぎず、必ずしも従来技術の問題点が上記に限定されるとの趣旨ではない。
【課題を解決するための手段】
【０００５】
上述した課題を解決し、目的を達成するため、請求項１の発明にかかる音声出力装置は、所定のイベントの発生時にあらかじめ用意された音声情報を音声として出力すべき発信指示を出力する発信指示手段と、前記発信指示手段により出力された前記発信指示を受けて第１の音声情報を発信する第１の音声発信手段と、複数の第２の音声情報の中からいずれか一つを選択する音声選択手段と、前記第１の音声発信手段により発信された前記第１の音声情報に続けて前記音声選択手段により選択された前記第２の音声情報を発信する第２の音声発信手段と、を備えることを特徴とする。【０００６】
また、請求項４の発明にかかる音声出力装置は、所定のイベントの発生時にあらかじめ用意された音声情報を音声として出力すべき発信指示を出力する発信指示手段と、前記発信指示手段により出力された前記発信指示を受けて第１の音声情報を発信する第１の音声発信手段と、前記第１の音声発信手段により発信された第１の音声情報に続けて第２の音声情報を発信する第２の音声発信手段と、複数の第３の音声情報の中からいずれか一つを選択する音声選択手段と、前記第２の音声発信手段により発信された前記第２の音声情報に続けて前記音声選択手段により選択された前記第３の音声情報を発信する第３の音声発信手段と、を備えることを特徴とする。【０００７】
また、請求項１０の発明にかかる音声出力方法は、所定のイベントの発生時にあらかじめ用意された音声情報を音声として出力すべき発信指示を出力する発信指示工程と、前記発信指示工程で出力された前記発信指示を受けて第１の音声情報を発信する第１の音声発信工程と、複数の第２の音声情報の中からいずれか一つを選択する音声選択工程と、前記第１の音声発信工程で発信された前記第１の音声情報に続けて前記音声選択工程で選択された前記第２の音声情報を発信する第２の音声発信工程と、を含むことを特徴とする。【０００８】
また、請求項１３の発明にかかる音声出力方法は、所定のイベントの発生時にあらかじめ用意された音声情報を音声として出力すべき発信指示を出力する発信指示工程と、前記発信指示工程で出力された前記発信指示を受けて第１の音声情報を発信する第１の音声発信工程と、前記第１の音声発信工程で発信された第１の音声情報に続けて第２の音声情報を発信する第２の音声発信工程と、複数の第３の音声情報の中からいずれか一つを選択する音声選択工程と、前記第２の音声発信工程で発信された前記第２の音声情報に続けて前記音声選択工程で選択された前記第３の音声情報を発信する第３の音声発信工程と、を含むことを特徴とする。【０００９】
また、請求項１９の発明にかかる音声出力プログラムは、所定のイベントの発生時にあらかじめ用意された音声情報を音声として出力すべき発信指示を出力する発信指示工程と、前記発信指示工程で出力された前記発信指示を受けて第１の音声情報を発信する第１の音声発信工程と、複数の第２の音声情報の中からいずれか一つを選択する音声選択工程と、前記第１の音声発信工程で発信された前記第１の音声情報に続けて前記音声選択工程で選択された前記第２の音声情報を発信する第２の音声発信工程と、をプロセッサに実行させることを特徴とする。【００１０】
また、請求項２２の発明にかかる音声出力プログラムは、所定のイベントの発生時にあらかじめ用意された音声情報を音声として出力すべき発信指示を出力する発信指示工程と、前記発信指示工程で出力された前記発信指示を受けて第１の音声情報を発信する第１の音声発信工程と、前記第１の音声発信工程で発信された第１の音声情報に続けて第２の音声情報を発信する第２の音声発信工程と、複数の第３の音声情報の中からいずれか一つを選択する音声選択工程と、前記第２の音声発信工程で発信された前記第２の音声情報に続けて前記音声選択工程で選択された前記第３の音声情報を発信する第３の音声発信工程と、をプロセッサに実行させることを特徴とする。
【図面の簡単な説明】
【００１１】
【図１】図１は、この発明の実施の形態にかかる音声出力装置の構成の一例を示す説明図である。
【図２】図２は、この発明の実施例１にかかる音声出力装置の構成の一例を示す説明図である。
【図３】図３は、この発明の実施例１にかかる音声出力装置の動作手順を示すフローチャートである。
【図４】図４は、この発明の実施例２にかかる音声出力装置の構成の一例を示す説明図である。
【図５】図５は、この発明の実施例２にかかる音声出力装置の動作手順を示すフローチャートである。
【図６】図６は、この発明の実施例１にかかる音声出力装置を留守番電話とは別装置として実現した場合の、当該装置の動作手順を示すフローチャートである。
【図７】図７は、この発明の実施例２にかかる音声出力装置を留守番電話とは別装置として実現した場合の、当該装置の他の動作手順を示すフローチャートである。
【符号の説明】
【００１２】
１１  留守番電話機能ブロック
１２  制御部
１３  操作部
１４  モード切り替え部
１５  発信指示部
１６  メッセージＤＢ
１７  メッセージ選択部
１８  発信部
１８ａ  疑似着信音発信部
１８ｂ  疑似応答メッセージ発信部
１８ｃ  疑似伝言メッセージ発信部
１９  スピーカ
２１  計時部
４１  侵入検知部
【発明を実施するための最良の形態】
【００１３】
以下に添付図面を参照して、この発明にかかる音声出力装置、音声出力方法、および音声出力プログラムの好適な実施の形態を詳細に説明する。【００１４】
（実施の形態）
図１は、この発明の実施の形態にかかる音声出力装置の構成の一例を示す説明図である。図示する装置は、従来技術の留守番機能つき電話機（以下では単に「留守番電話」という）を機能拡張したものである。図中、１１は一般的な留守番電話を実現するための諸機能（たとえば着信音の出力や通話の制御など電話機としての基本機能、メッセージの録音機能や再生機能など）を実現するためのハードウエアおよびソフトウエアからなる留守番電話機能ブロックである。この留守番電話機能ブロック１１の構成は公知であるので、詳細な説明を省略する。【００１５】
１２は本装置全体の制御を行う制御部であり、あらかじめ用意されたプログラムを実行するマイクロプロセッサにより実現される。１３は後述する動作モードの切り替えをユーザから受け付ける操作部であり、具体的にはプッシュボタンなどにより実現される。１４は操作部１３で受け付けた操作に応じて、実際に動作モードを切り替えるモード切り替え部であり、上述のマイクロプロセッサにより実現される。なお動作モードの切り替えは、メモリ上に確保された動作モードの記憶領域に、切り替え後のモードに対応するコードを書き込むことにより行う。【００１６】
ここで、本装置の動作モードには大別して「通常モード」と「留守モード（広義）」の２つがあり、「留守モード（広義）」の中にはさらに「留守モード（狭義）」と「防犯留守モード」の２つがあるものとする（なお、以下で「留守モード」と言ったときは、特に断らない限り狭義の留守モードを意味するものとする）。【００１７】
この「防犯留守モード」は、「留守モード」を機能拡張したモードである。「防犯留守モード」下では、本装置は通常の留守番電話として機能するほかに、あらかじめ内蔵している「疑似着信音」「疑似応答メッセージ」「疑似伝言メッセージ」を、あたかも外から電話がかかってきたかのように順次再生する。【００１８】
なお、ここで「着信音」とは外部からの着信時に電話機から発せられる「トゥルルル」などの音、「応答メッセージ」とは「ただいま出かけております。発信音の後にご用件をお話しください。ピー」など、家人に代わって電話の相手先に応対する音声、「伝言メッセージ」とは「○○です。折り返しお電話ください」など、電話の相手先が必要に応じて発話する伝言の音声である。そして、本発明にいう「疑似着信音」「疑似応答メッセージ」「疑似伝言メッセージ」は、それぞれ音としては「着信音」「応答メッセージ」「伝言メッセージ」と同一である（音を聞いただけでは区別できない）が、実際には着信がないにもかかわらず発生させられる音という意味で、それぞれ「疑似」の語を用いている。【００１９】
そしてこの疑似伝言メッセージとしては、たとえば「もしもし、こちらお父さんです。いま駅に着きました。これから帰ります」のように、家人がすぐにでも帰宅することを推測させる内容とする。もし宅内に侵入者がいてこのメッセージを聞いた場合、宅内の財物を窃取することなく、すぐに逃亡する確率が高い。すなわち、外部からの着信を偽装して家人の帰宅を暗に警告することで、侵入者による窃盗を未然に防止することができる。【００２０】
図１の説明に戻り、次に１５はあらかじめ指定されたイベントの発生時に、制御部１２に対して疑似着信音・疑似応答メッセージおよび疑似伝言メッセージの出力を指示する発信指示部である。この発信指示部１５は、後述する実施例１ではタイマ、実施例２ではセンサにより、それぞれ実現される。そして、実施例１では所定時間が経過するごとに、実施例２では宅内への侵入者を検知したときに、発信指示部１５から制御部１２へ上記音声の発信指示が出力され、これを受けた制御部１２から、後述する発信部１８へ当該指示が転送される。【００２１】
次に、１６は上述の疑似応答メッセージや疑似伝言メッセージ（の音声情報）を、それぞれ一つ以上保持するメッセージＤＢ（データベース）であり、具体的にはメモリにより実現される。また、１７は後述する発信部１８からの指示を受けて、メッセージＤＢ１６内のメッセージを一つ選択するメッセージ選択部であり、具体的には上述のマイクロプロセッサにより実現される。【００２２】
次に、１８は制御部１２から入力した発信指示を受けて、スピーカ１９へ疑似着信音・疑似応答メッセージおよび疑似伝言メッセージを出力する発信部であり、具体的には増幅回路などにより実現される。また、１９は発信部１８から入力した疑似着信音などを音として出力するスピーカである。なお、このスピーカ１９からの音は、電話が待機状態（受話器が置かれている状態）にあっても装置からある程度離れたところまで聞こえるものとする。
【実施例１】
【００２３】
次に、図２はこの発明の実施例１にかかる音声出力装置の構成の一例を示す説明図である。上述のように実施の形態１では、図１に示した発信指示部１５をタイマにより実現するので、図２ではその下位概念である計時部２１として示している。図中、計時部２１以外の各部は図１と同様であり、同一の部分には同一の符号を付している。【００２４】
また、図３はこの発明の実施例１にかかる音声出力装置の動作手順を示すフローチャートである。制御部１２は定期的に、メモリ内の上述の記憶領域を参照して、本装置に設定されている現在の動作モードを判別する（ステップＳ３１）。そして、ここで判別された動作モードにより以後の処理が分岐する。【００２５】
すなわち、動作モードが「通常モード」あるいは「留守モード」に設定されている場合は、本装置はその留守番電話機能ブロック１１により、それぞれのモード固有の処理を行う（ステップＳ３２／ステップＳ３３）。たとえばステップＳ３２（通常モード）では、外部からの電話がかかってくるのを待機し、ステップＳ３３（留守モード）ではそれに加えて、応答メッセージの再生や伝言メッセージの録音などを行う。このステップＳ３２およびステップＳ３３における処理は公知であるので、詳細な説明を省略する。【００２６】
一方、現在の動作モードが「防犯留守モード」であれば、制御部１２は計時部２１（具体的にはタイマ）に指示して、一定時間を計測させる（ステップＳ３４）。この時間はたとえば１０分程度とする。なお、計時部２１に計測を指示するごとに、制御部１２で計測すべき時間をランダムに決定するようにしてもよい。ただしその上限と下限だけは決めておき、間隔があまり空きすぎたり詰まりすぎたりしないようにする。【００２７】
そして上記一定時間が経過すると（ステップＳ３５：Ｙｅｓ）、計時部２１は制御部１２に対して、疑似着信音・疑似応答メッセージおよび疑似伝言メッセージの発信指示（を意味する所定の信号）を出力する。これを受けた制御部１２では、発信部１８へまず疑似着信音の発信を指示し、発信部１８はその疑似着信音発信部１８ａにより、あらかじめ用意された疑似着信音をスピーカ１９へ出力する（ステップＳ３６）。【００２８】
なお、この疑似着信音は真の着信音（通常モード時や留守モード時に、外部からの着信に応じて発せられる音）と異なる音であるのが望ましい。家人が在宅であるにもかかわらず、防犯留守モードを解除していない場合、本当に電話がかかってきたのか疑似着信音に過ぎないのかを音の違いで判別することができる。【００２９】
疑似着信音発信部１８ａは疑似着信音を数回出力すると、その旨を制御部１２に通知するので、制御部１２は次に発信部１８へ、疑似応答メッセージの発信を指示する。そしてこれを受けた発信部１８は、疑似応答メッセージ発信部１８ｂからメッセージ選択部１７に指示して、メッセージＤＢ１６中の疑似応答メッセージを一つ選択させ、選択されたメッセージ、たとえば「ただいま出かけております。発信音の後にご用件をお話しください。ピー」をスピーカ１９へ出力する（ステップＳ３７）。【００３０】
疑似応答メッセージ発信部１８ｂは疑似応答メッセージを出力すると、その旨を制御部１２に通知するので、制御部１２は次に発信部１８へ、疑似伝言メッセージの発信を指示する。そしてこれを受けた発信部１８は、疑似伝言メッセージ発信部１８ｃからメッセージ選択部１７に指示して、メッセージＤＢ１６中の疑似伝言メッセージを一つ選択させ、選択されたメッセージ、たとえば「もしもし、こちらお父さんです。いま駅に着きました。これから帰ります」をスピーカ１９へ出力する（ステップＳ３８）。【００３１】
なお、このときメッセージ選択部１７は、メッセージＤＢ１６中の疑似伝言メッセージのうち最近使用していないもの（具体的には直近のＮ回、あるいは過去Ｎ分間に選択したのとは別の疑似伝言メッセージ）を選択する。このように最近使用したものを避けるのは、まったく同一の伝言が繰り返されるのを侵入者に聞かれることによって、それが「見せかけ」であることを見破られないためである。一方ステップＳ３７で選択する疑似応答メッセージは、疑似伝言メッセージのように毎回内容が変化する必要はないので、メッセージ選択部１７は用意された疑似応答メッセージのどれか一つを毎回選択すればよい。この場合疑似応答メッセージはメッセージＤＢ１６内でなく、疑似応答メッセージ発信部１８ｂに固定的に持たせておくのであってもよい。【００３２】
なお、たとえば一人世帯であることが明白なワンルームマンションでは、父親が帰宅するとのメッセージは信憑性に欠けるので、メッセージＤＢ１６に用意された疑似伝言メッセージのうち、実際に使用するものを家族構成などに応じてユーザが選択できるようにしてもよい。たとえば「家族の帰宅」カテゴリに属するメッセージと「来客」カテゴリに属するメッセージとをそれぞれ複数用意しておき、一人世帯ではもっぱら「来客」カテゴリの中からメッセージを選択するようにする。なお「来客」カテゴリの疑似伝言メッセージとは、たとえば「○○です。あと２〜３分で着きますのでよろしく」などのように、家人以外の第三者の訪問を予測させるようなものである。【００３３】
以上説明した実施例１によれば、「防犯留守モード」が設定されている間中、一定時間経過ごとにあたかも家人が電話をかけて来、しかも家人がすぐにでも帰宅するように見せかけるので、宅内の侵入者（もしいれば）を速やかに退去させる効果がある。しかも従来のホームセキュリティのように、専用の設備や設置場所、あるいは多大な費用などを必要とせず、電話機が一台あれば足りる。また、一見普通の留守番電話が防犯装置として機能しているとは侵入者に気付かれにくく、破壊されたり無力化されたりしてしまう危険も少ない。
【実施例２】
【００３４】
次に、図４はこの発明の実施例２にかかる音声出力装置の構成の一例を示す説明図である。上述のように実施例２では、図１に示した発信指示部１５をセンサにより実現するので、図４ではその下位概念である侵入検知部４１として示している。図中、侵入検知部４１以外の各部は図１と同様であり、同一の部分には同一の符号を付している。なお、上記センサは宅内の人物や移動物体、窓の開閉や錠の開閉など、何者かによる侵入あるいは侵入があったことの兆候を検知できるものであれば何であってもよい。【００３５】
また、図５はこの発明の実施例２にかかる音声出力装置の動作手順を示すフローチャートである。制御部１２は定期的に、メモリ内の上述の記憶領域を参照して、本装置に設定されている現在の動作モードを判別し（ステップＳ５１）、「通常モード」あるいは「留守モード」の場合は各モード固有の処理を行う（ステップＳ５２／ステップＳ５３）。なお、このステップＳ５２／ステップＳ５３の処理は、図３に示したステップＳ３２／ステップＳ３３と同一である。【００３６】
一方、現在の動作モードが「防犯留守モード」であれば、制御部１２は侵入検知部４１（具体的にはセンサ）を作動させ、宅内に侵入者がいないかどうかをセンシングする（ステップＳ５４）。そして、もし侵入検知部４１が侵入者を検知した場合（ステップＳ５５：Ｙｅｓ）、図３に示したステップＳ３６〜ステップＳ３８と同様に、疑似着信音・疑似応答メッセージ・疑似伝言メッセージを順次スピーカ１９から出力する（ステップＳ５６〜ステップＳ５８）。【００３７】
以上説明した実施例２によれば、「防犯留守モード」が設定されている間中、定期的にセンサが作動して侵入者の有無をチェックするとともに、侵入者を検知したときはその直後に、ほどなく家人が帰宅するかのようなメッセージを流すので、宅内の侵入者を速やかに（実施例１よりも早く）退去させる効果が期待できる。また、侵入者の有無にかかわらずメッセージを流し続ける実施例１に対し、実施例２では侵入者があった（少なくともその可能性が高い）ときだけメッセージを流すので処理に無駄がない。【００３８】
なお、上述のように実施例１および２にかかる音声出力装置は、従来技術の留守番電話に制御部１２〜スピーカ１９を追加したものであるが、操作部１３や発信部１８、スピーカ１９などは必ずしも追加する必要はなく、留守番電話機能ブロック１１にすでにあるものを利用するようにしてもよい。制御部１２〜スピーカ１９は比較的単純な機構であり、別途搭載してもコストはさほどかからないが、すでに留守番電話に備わっているものを利用すれば、従来の留守番電話と比較したハードウエア面でのコスト増はほぼ無視できる。【００３９】
なお、制御部１２〜スピーカ１９を留守番電話に内蔵するのでなく、別筐体に格納し、この装置を電話機（留守番機能の有無は問わない）と併設するのであってもよい。この場合、ユーザは電話機を買い換えることなく、上記装置だけを追加購入すればよい。なお、上記装置は電話機と接続されている必要はないが、そのスピーカ１９から発せられた音があたかも電話機本体から発せられたかのように侵入者に錯覚されるよう、十分に近接して設置される必要がある。たとえば上記装置は平たいボード状とし、電話機と電話台との間のわずかな空間に差し込めるようにする。【００４０】
そして上記装置は、その電源が投入されている間、図６あるいは図７に示す処理を繰り返し実行する。すなわち図６は上述の実施例１に対応し、タイマで時間を計測して（ステップＳ６１）、一定時間が経過するごとに（ステップＳ６２：Ｙｅｓ）、疑似着信音・疑似応答メッセージ・疑似伝言メッセージを順次再生するものである（ステップＳ６３〜ステップＳ６５）。一方、図７は上述の実施例２に対応し、センサを作動させて（ステップＳ７１）侵入者を検知した場合に（ステップＳ７２：Ｙｅｓ）、疑似着信音・疑似応答メッセージ・疑似伝言メッセージを順次再生するものである（ステップＳ７３〜ステップＳ７５）。【００４１】
なお、特にこのように、本発明にかかる音声出力装置を電話機とは別の装置として実現する場合、そこから発せられる音声は必ずしも電話機のそれを模倣する必要はない。たとえば疑似着信音や疑似応答メッセージの再生は省略し、「現在○○家に侵入している泥棒に告ぐ。君は完全に包囲されている。速やかに投降しなさい」「この家は○○システムにより監視されています。侵入者を検知しました。警備員が直ちに現場へ急行します」など、侵入者に強い危機感を与えるような警告のみを再生するようにしてもよい。なお、本発明にかかる音声出力装置を留守番電話に内蔵する場合も、ダミーの着信音やメッセージの代わりにこうした警告を流すようにしてももちろんよい。【００４２】
なお、上述した実施例１および２では「着信音」と「メッセージ」とを区別しているが、データとしてはいずれも何らかの音声情報であることに変わりはない。したがって、たとえば「トゥルルル、トゥルルル、トゥルルル・・・ただいま出かけております。発信音の後にご用件をお話しください。ピー・・・もしもし、こちらお父さんです。いま駅に着きました。これから帰ります」のように、上述の疑似着信音・疑似応答メッセージ・疑似伝言メッセージの３者を連結した一続きの音声や、あるいは「現在○○家に侵入している泥棒に告ぐ。君は完全に包囲されている。速やかに投降しなさい」のような単なる警告の音声を多数用意しておき、一定時間経過時や侵入者検知時に、最近使用していないものを一つ選択するようにしてもよい。【００４３】
このように、請求項１・請求項１０・請求項１９に記載の発明によれば、所定のイベントの発生時に第１の音声情報および第２の音声情報が順次再生される。また、請求項４・請求項１３あるいは請求項２２に記載の発明によれば、所定のイベントの発生時に第１の音声情報・第２の音声情報・第３の音声情報が順次再生される。そして請求項２・請求項３・請求項５・請求項１１・請求項１２・請求項１４・請求項２０・請求項２１あるいは請求項２３に記載の発明によれば、これらはそれぞれ従来の電話機の着信音・応答メッセージ・伝言メッセージに類似する音なので、上記イベントの発生時にあたかも誰かから電話があり、しかもほどなくここへ来ると侵入者に錯覚させることができる。なお上記音声の再生は、請求項６・請求項１５あるいは請求項２４に記載の発明によれば一定時間経過ごと、請求項７・請求項１６あるいは請求項２５に記載の発明によれば侵入者の検知時に、それぞれ行われるので、いつ入ってきた侵入者に対しても上記効果を期待できる。そして請求項８・請求項９・請求項１７・請求項１８・請求項２６あるいは請求項２７に記載の発明によれば、同一の伝言メッセージが続けて再生されないよう制御するので、侵入者に当該メッセージがダミーであると看破されにくい。【００４４】
なお、本実施の形態で説明した音声出力方法は、あらかじめ用意されたプログラムをプロセッサやマイクロコンピュータ等の演算処理装置で実行することにより実現することができる。このプログラムは、ＲＯＭ、ＨＤ、ＦＤ、ＣＤ−ＲＯＭ、ＣＤ−Ｒ、ＣＤ−ＲＷ、ＭＯ、ＤＶＤ等の演算処理装置で読み取り可能な記録媒体に記録され、演算処理装置によって記録媒体から読み出されて実行される。またこのプログラムは、インターネット等のネットワークを介して配布することが可能な伝送媒体であってもよい。
【図１】
2005114606.tif 000002
【図２】
2005114606.tif 000003
【図３】
2005114606.tif 000004
【図４】
2005114606.tif 000005
【図５】
2005114606.tif 000006
【図６】
2005114606.tif 000007
【図７】
2005114606.tif 000008
【国際調査報告】
2005114606.tif 000009
2005114606.tif 000010
2005114606.tif 000011
2005114606.tif 000012